(57)【要約】  【課題】  ２つのタッチパネルを備える携帯端末において、一方のタッチパネルで表示された画像についても、他方のタッチパネルで表示される際に得られるメリットを享受可能な携帯端末を提供する。【解決手段】  携帯端末は、接触操作が可能な第一の表示領域および第二の表示領域を有する携帯端末であって、前記第一の表示領域にてメールの内容が表示され、前記第二の表示領域にて前記メールに添付のファイルの内容が表示され、前記第一の表示領域および前記第二の表示領域の両方に接触があった状態で、前記第一の表示領域上の接触位置が前記第二の表示領域の方向へ変化し、前記第二の表示領域上の接触位置が前記第一の表示領域の方向へ変化したときに、第一の表示領域に前記ファイルの内容を表示し、前記第二の表示領域に前記メールの内容を表示する。【選択図】  図２
2014232546.tif 000002
【特許請求の範囲】
【請求項１】
接触操作が可能な第一の表示領域および第二の表示領域を有する携帯端末であって、
前記第一の表示領域にてメールの内容が表示され、前記第二の表示領域にて前記メールに添付のファイルの内容が表示され、前記第一の表示領域および前記第二の表示領域の両方に接触があった状態で、前記第一の表示領域上の接触位置が前記第二の表示領域の方向へ変化し、前記第二の表示領域上の接触位置が前記第一の表示領域の方向へ変化したときに、
第一の表示領域に前記ファイルの内容を表示し、前記第二の表示領域に前記メールの内容を表示する携帯端末。
【請求項２】
前記第二の表示領域の方向への前記第一の表示領域上の接触位置の変化と、前記第一の表示領域の方向への前記第二の表示領域上の接触位置の変化と、が同時に生じる場合に、第一の表示領域に前記ファイルの内容を表示し、前記第二の表示領域に前記メールの内容を表示する請求項１記載の携帯端末。
【請求項３】
前記第二の表示領域の方向への前記第一の表示領域上の接触位置の変化量と、前記第一の表示領域の方向への前記第二の表示領域上の接触位置の変化量と、がそれぞれ所定量以上である場合に、第一の表示領域に前記ファイルの内容を表示し、前記第二の表示領域に前記メールの内容を表示する請求項１または２記載の携帯端末。
【発明の詳細な説明】
【技術分野】
【０００１】
本発明は、複数のタッチパネルを有する携帯電話機等の携帯端末に関し、特に、ユーザインタフェースの改良に関する。
【背景技術】
【０００２】
２つのタッチパネルからの入力に基づいて処理を行う携帯端末が知られている（例えば、特許文献１）。また、携帯端末には、スライド式等の開閉による変形を可能にすることで、その携帯性を高めたものがある。このような携帯端末では、閉状態においては、筐体のサイズを小さく抑えること、つまりコンパクト化が可能になる。
【０００３】
上述のような２つのタッチパネルＡとＢとを有する携帯端末を、スライド式等の携帯端末で実現する場合、携帯端末を閉状態から開状態へと変形させると、２つのタッチパネルＡとＢとが視認可能になり、開状態から閉状態へと変形させると、タッチパネルＡだけが視認可能になり、タッチパネルＢは背後に隠れるように、各タッチパネルを配置することが考えられる。
【先行技術文献】
【特許文献】
【０００４】
【特許文献１】特開２００７−２４０９６４号公報
【発明の概要】
【発明が解決しようとする課題】
【０００５】
このような携帯端末により、開状態で表示されている２つのタッチパネルＡとＢとの画像を見ていたユーザが、タッチパネルＡの画像だけを引き続き見られれば十分と考えた場合には、携帯端末を閉状態へと変形させることでコンパクト化することができる。しかしながら、ユーザが、タッチパネルＢの画像だけを引き続き見たいと考えた場合には、携帯端末を閉状態へと変形させてコンパクト化することができないという問題がある。
【０００６】
また、開閉による変形が生じないストレート型等の携帯端末で、上述のような２つのタッチパネルＡとＢとを有する携帯端末を実現した場合でも、例えばタッチパネルＡとＢとの性能に差異がある場合等に問題が生じ得る。性能の差異として、例えば、表示領域の大小や、表示色（カラーとモノクロ）の違い等が考えられるが、低性能のタッチパネルに表示されている画像については、高性能のタッチパネルで表示される画像のように、大きく表示したり、カラーで表示したりすることができないという問題がある。
【０００７】
そこで、本発明は係る問題に鑑みてなされたものであり、２つのタッチパネルを備える携帯端末において、一方のタッチパネルで表示された画像についても、他方のタッチパネルで表示される際に得られるメリットを享受可能な携帯端末を提供することを目的とする。
【課題を解決するための手段】
【０００８】
上記課題を解決するために、本発明に係る携帯端末は、接触操作が可能な第一の表示領域および第二の表示領域を有する携帯端末であって、前記第一の表示領域にてメールの内容が表示され、前記第二の表示領域にて前記メールに添付のファイルの内容が表示され、前記第一の表示領域および前記第二の表示領域の両方に接触があった状態で、前記第一の表示領域上の接触位置が前記第二の表示領域の方向へ変化し、前記第二の表示領域上の接触位置が前記第一の表示領域の方向へ変化したときに、第一の表示領域に前記ファイルの
内容を表示し、前記第二の表示領域に前記メールの内容を表示することを特徴とする。
【発明の効果】
【０００９】
上記構成を備える本発明に係る携帯端末によれば、２つのタッチパネルを備える携帯端末において、一方のタッチパネルで表示された画像についても、他方のタッチパネルで表示される際に得られるメリットを享受することができる。
【図面の簡単な説明】
【００１０】
【図１】実施の形態に係る携帯電話機１００の閉状態及び開状態の外観を示す図である。
【図２】携帯電話機１００の各タッチパネルに表示される画像例と、各タッチパネルに対し、ユーザが行う入替操作の様子を示す図である。
【図３】携帯電話機１００の各タッチパネルに表示される入替操作後の画面を示す図である。
【図４】携帯電話機１００の主要部の機能構成を示すブロック図である。
【図５】操作制御用座標系を説明するための図である。
【図６】各タッチパネルからの入力に対する携帯電話機１００の制御処理を示すフローチャートである。
【図７】変形携帯電話機の各タッチパネルに表示される画像例と、各タッチパネルに対し、ユーザが行う入替操作の様子を示す図である。
【図８】変形携帯電話機の各タッチパネルに表示される入替操作後の画面を示す図である。
【図９】携帯電話機２００の開状態及び閉状態の外観を示す図である。
【発明を実施するための形態】
【００１１】
以下、本発明に係る携帯端末の実施の形態としての携帯電話機について説明する。
【００１２】
≪実施の形態≫
携帯電話機１００は、２つのタッチパネルを有し、この２つのタッチパネルを用いて、ユーザが所定の操作（以下、「入替操作」という）を行うことで、各タッチパネルで表示中の画面を相互に入れ替えて各タッチパネルに表示できるようにしたものである。
【００１３】
＜装置構成＞
まず、携帯電話機１００の装置構成について説明する。図１（ａ）は、携帯電話機１００の閉状態の外観を示す斜視図であり、（ｂ）は、携帯電話機１００の開状態の外観を示す斜視図であり、（ｃ）は、携帯電話機１００の開状態の外観を示す正面図である。
【００１４】
携帯電話機１００は、図１（ａ）〜（ｃ）に示されるように、第１筐体１と第２筐体２とが相対的に移動可能な、いわゆるスライド式の端末であり、第１筐体１、第２筐体２、及び第１筐体１と第２筐体２とを連結する連結機構４、４’を備えている。第１筐体１には、タッチパネル１１０、スピーカ７及びマイク８が備えられており、第２筐体２には、タッチパネル１２０が備えられている。
【００１５】
連結機構４は、図１（ａ）、（ｂ）に示すように、第１筐体１の側面と第２筐体２の側面とを互いに連結するための連結駒５とピン３０、３１を有している。また、連結機構４’は、第１筐体１の側面と第２筐体２の側面とを互いに連結するための連結駒５’とピン３０’、３１’を有している。なお、ピン３０’、３１’については、図示していない。ピン３０、３０’は第１筐体１に枢支されると共に、ピン３１、３１’は第２筐体２にスライド可能に係合している。
【００１６】
また、第２筐体２の連結機構４が備えられる側面には、図１（ａ）、（ｂ）に示すように、ピン３１がスライド可能となるようガイド溝６が設けられている。なお、第２筐体２の連結機構４’が備えられる側面においても、同様に、ピン３１’がスライド可能となるようガイド溝６’（図示せず）が設けられている。携帯電話機１００は、図１（ａ）に示すように、第２筐体２に第１筐体１が重ね合わさり、タッチパネル１２０が視認できない閉状態から、連結機構４、４’により、ピン３１、３１’がガイド溝６、６’に沿ってスライドすることにより、第１筐体１が第２筐体２の表面に沿って移動し、その後、ピン３０、３０’それぞれがピン３１、３１’それぞれを中心として回転することにより、図１（ｂ）、（ｃ）に示すように、第１筐体１の表面と第２筐体２の表面とが略同一平面上に揃う開状態となり、タッチパネル１１０及び１２０が視認可能になる。
【００１７】
＜操作例＞
次に、２つのタッチパネルに表示される画面の入替操作例を図２及び図３を用いて説明する。図２は、携帯電話機１００の各タッチパネルに表示される画像例と、各タッチパネルに対し、ユーザが行う入替操作の様子を示す図であり、図３は、携帯電話機１００の各タッチパネルに表示される入替操作後の画面を示す図である。なお、図２に示される例では、説明の簡略化のため、携帯電話機１００の画面例のみを示し、携帯電話機１００の筐体などの記載は省略している。
【００１８】
図２では、タッチパネル１１０に、フォルダ一覧と受信フォルダ内のメール一覧（以下、単に「メール一覧画面」という）が表示され、そのメール一覧の１番上にあるメールの内容（以下、「メール内容画面」という）が、タッチパネル１２０に表示されている例を示している。なお、メール内容画面には、アイコン１０が含まれ、メール一覧画面には、アイコン１１、１２が含まれている。
【００１９】
本願では、その表示位置にユーザが指等を接触させることで、何らかの処理が実行されるものを特に区別することなく「アイコン」と呼ぶこととする。また、ユーザがアイコンに指等を接触させることを、アイコンを選択するということとする。ユーザが、メール内容画面に含まれているアイコン１０を選択すると、表示されている受信メールに対する返信メールの作成画面を表示する処理が実行される。また、ユーザが、アイコン１１を選択すると、ユーザが接触させた指の位置に対応するフォルダ（受信フォルダ、送信フォルダ、下書きフォルダのいずれか）内にあるメールの一覧をアイコン１２の位置に表示する処理が実行され、アイコン１２を選択すると、ユーザが接触させた指の位置に対応するメールの内容（メール内容画面）をタッチパネル１１０に表示する処理が実行される。
【００２０】
上述のように携帯電話機１００が開状態である場合には、タッチパネル１１０及び１２０が視認可能であるが、開状態から閉状態へと変形させた場合には、タッチパネル１１０しか視認できないことになる。従って、ユーザが、携帯電話機１００を閉状態にした後も引き続き、例えば、タッチパネル１２０に表示されているメール内容画面を参照したいと考えている場合に、以下説明する入替操作を行ってから、携帯電話機１００を開状態から閉状態へと変形させることで、閉状態になった後も、引き続きメール内容画面を参照することが可能になる。
【００２１】
図２では、特に、ユーザが、タッチパネル１１０に人差し指を接触させると共にタッチパネル１２０に親指を接触させており、人差し指を接触させたままタッチパネル１２０に近い側のタッチパネル１１０の一辺Ａに向けた移動を、親指を接触させたままタッチパネル１１０に近い側のタッチパネル１２０の一辺Ｂに向けた移動を開始させようとしている様子を示している。以下、指等を接触させたまま移動させることを、「ドラッグ」ともいう。
【００２２】
ここで、入替操作とは、ユーザが、タッチパネル１１０に接触させた人差し指を辺Ａに向けて所定速度以上でドラッグしていくと共に、タッチパネル１２０に接触させた親指を辺Ｂに向けて所定速度以上でドラッグしていき、人差し指を辺Ａ付近の位置で、親指を辺Ｂ付近の位置でそれぞれ離すという一連の操作のことをいう。なお、ドラッグの速度や、指を離す位置についての条件は後述する（図６参照）。
【００２３】
この入替操作が行われると、図３に示すように、携帯電話機１００は、タッチパネル１２０に、入替操作前にタッチパネル１１０に表示されていたメール一覧画面を表示し、タッチパネル１１０に、入替操作前にタッチパネル１２０に表示されていたメール内容画面を表示する。このように、ユーザは、入替操作を行うことで、各タッチパネルに表示されていた画面を相互に入れ替えて各タッチパネルに表示させることができる。従って、携帯電話機１００を開状態から閉状態に変形させた場合でも、上述の例では、ユーザは、メール内容画面を引き続き見ることができる。
【００２４】
また、上述のように、２つのタッチパネルを摘むような操作（入替操作）を行うことで、各タッチパネルに表示されていた画面を相互に入れ替えて各タッチパネルに表示させることができるので、直感的な操作性を実現できる。
【００２５】
＜機能構成＞
図４は、携帯電話機１００の主要部の機能構成を示すブロック図である。
【００２６】
携帯電話機１００は、同図に示すように、タッチパネル１１０、１２０、接触情報記憶部１３０、位置記憶部１３１、及び制御部１４０を備える。なお、同図は、本発明の特徴を実現する上で重要な各機能構成要素の関係を示しており、通常の携帯電話機が備える通信部や、図１で示したスピーカ７、マイク８等の図示は省略している。また、携帯電話機１００は、プロセッサ及びメモリを含んで構成されており、制御部１４０の各機能は、上述のメモリに記憶されているプログラムを上述のプロセッサが実行することにより実現される。
【００２７】
タッチパネル１１０は、表示部１１１及び入力部１１２を、タッチパネル１２０は、表示部１２１及び入力部１２２を備える。各表示部は、ＬＣＤ（Liquid Crystal Display）を含み、制御部１４０からの指示を受けて文字やアイコン等の画像をＬＣＤに表示する回路である。各ＬＣＤの画素数（横×縦）は８００×４８０画素であるものとする。
【００２８】
また、各入力部は、ユーザによる接触を検出し、検出している間、単位時間（例えば、２５ｍｓ）毎に、その接触位置の座標値（ｘ，ｙ）を制御部１４０に送出する回路である。なお、図１（ｃ）の各タッチパネルの左上の頂点の座標値は（０，０）であるとし、右下の頂点の座標値は（７９９，４７９）であるものとして説明する。また、各入力部は、例えば、静電容量方式のタッチセンサにより実現される。
【００２９】
接触情報記憶部１３０は、各タッチパネルにおいて接触が開始された際の時刻及び座標値（以下、「接触開始情報」という）と、その接触が離された際の時刻及び座標値（以下、「接触終了情報」という）とを格納するためのメモリ領域であり、位置記憶部１３１は、各タッチパネルに表示されるアイコン毎に、その表示位置を示す座標値を記憶するメモリ領域である。このアイコンの表示位置を示す座標値は、そのアイコンを含む矩形の領域の左上端の座標値と右下端の座標値との組からなる。
【００３０】
なお、いずれの記憶部に記憶される座標値も、後述する操作制御用座標系における座標値（以下、「論理座標値」という）である。
【００３１】
制御部１４０は、一般的な携帯電話機が有する機能の他、特に、ユーザによる入替操作に応じて、各タッチパネルの画面を入れ替えて表示させる機能を有し、格納部１４１、判定部１４２、更新部１４３、表示制御部１４４、処理実行部１４５を含んで構成される。
【００３２】
格納部１４１は、各タッチパネルから送出される座標値（以下、「物理座標値」ともいう）の受領に基づいて、タッチパネル毎に、接触が開始された際の時刻及び論理座標値（接触開始情報）と、接触が離された際の時刻及び論理座標値（接触終了情報）とを対応付けて接触情報記憶部１３０に格納する機能を有する。時刻は、図示しない計時部から随時得られる値（例えば、１ｍｓ単位の時刻の値）を用いて得る。
【００３３】
ここで、操作制御用座標系について説明する。図５は、操作制御用座標系を説明するための図である。
【００３４】
操作制御用座標系は、同図に示すように、タッチパネル１１０の左上隅の座標値を（０，０）として、右方向にｘ軸を、下方向にｙ軸を取った座標系である。同図においては、操作制御用座標系における座標値の一例を示しており、タッチパネル１１０の右上端の座標値は（７９９，０）、左下端の座標値は（０，４７９）、右下端の座標値は（７９９，４７９）であり、タッチパネル１２０の左上端の座標値は（０，４８０）、右上端の座標値は（７９９，４８０）、左下端の座標値は（０，９５９）、右下端の座標値は（７９９，９５９）である。
【００３５】
従って、タッチパネル１１０から受領した物理座標値は操作制御用座標系における論理座標値と一致するため、格納部１４１はタッチパネル１１０から受領した物理座標値をそのまま操作制御用座標系における論理座標値とする。一方、タッチパネル１２０から物理座標値を受領した場合には、格納部１４１は、受領した物理座標値のｙ座標に「４８０」を加えたものを操作制御用座標系における論理座標値とする。
【００３６】
なお、制御部１４０は、論理座標値が（０，０）から（７９９，４７９）までの範囲をタッチパネル１１０と対応付け、論理座標値が（０，４８０）から（７９９，９５９）までの範囲をタッチパネル１２０と対応付けて管理している。判定部１４２は、接触情報記憶部１３０に記憶されている各タッチパネルについての接触開始情報及び接触終了情報に基づいて、各タッチパネルにおいて行われた操作が、画面の入替操作、画面のスクロール操作、アイコンの選択操作のいずれであるかを判定する機能を有する。具体的な判定条件については、後述する（図６参照）。
【００３７】
なお、判定部１４２は、画面の入替がなされた状態であるか否かを示す状態情報（入替がなされていない状態を「０」とし、入替がなされた状態を「１」とし、携帯電話機１００の起動時等に設定される初期値を「０」とする）を、上述のメモリ上で管理しており、各タッチパネルにおいて行われた操作が画面の入替操作であると判定する毎に、状態情報が「０」である場合には「１」に更新し、状態情報が「１」である場合には「０」に更新する。制御部１４０内の各部は、この状態情報を参照することで、画面の入替がなされた状態であるか否かを知ることができる。
【００３８】
更新部１４３は、画面の入替操作が行われた際に、位置記憶部１３１に記憶されている、各アイコンの表示位置を示す論理座標値（左上端の座標値及び右下端の座標値）を、入替後の論理座標値を示すように更新する機能を有する。
【００３９】
つまり、タッチパネル１１０に表示されていたアイコンの論理座標値は、そのｙ座標が「４８０」を加えた値に、タッチパネル１２０に表示されていたアイコンの論理座標値は、そのｙ座標が「４８０」を引いた値に更新される。
【００４０】
表示制御部１４４は、判定部１４２による判定結果に応じた画面、及び処理実行部１４５の処理結果に応じた画面を、各タッチパネルの表示部（１１１、１２１）に表示させる機能を有する。表示制御部１４４は、各タッチパネルに表示する画面を構成するアイコン以外の画像データ（以下、「描画データ」という）を格納する、上記メモリ上の２つの領域ｍ１、ｍ２と各タッチパネル１１０、１２０との対応付けを管理しており、この対応付けは、入替操作がなされた際に更新される。即ち、例えば、領域ｍ１とタッチパネル１１０とが対応付けられ、領域ｍ２とタッチパネル１２０とが対応付けられている場合に、画面の入替操作が行われると、領域ｍ１とタッチパネル１２０とを、領域ｍ２とタッチパネル１１０とを対応付けるように更新する。
【００４１】
表示制御部１４４は、入替操作が行われた際に、この更新後の対応付けと更新部１４３により更新された各アイコンの論理座標値に基づいて、タッチパネル１１０に対応付けられたメモリ領域に格納された描画データと、タッチパネル１１０と対応付けられている論理座標値の範囲（０，０）〜（７９９，４７９）にその座標値が含まれるアイコンとを、タッチパネル１１０に表示し、タッチパネル１２０に対応付けられたメモリ領域に格納された描画データと、タッチパネル１２０と対応付けられている論理座標値の範囲（０，４８０）〜（７９９，９５９）にその座標値が含まれるアイコンとを、タッチパネル１２０に表示する。
【００４２】
このようにすることで、表示制御部１４４は、入替操作前にタッチパネル１１０に表示されていた描画データ及びアイコンをタッチパネル１２０に表示させ、入替操作前にタッチパネル１２０に表示されていた描画データ及びアイコンをタッチパネル１１０に表示させることができる。なお、表示制御部１４４は、処理実行部１４５の処理結果に応じた画面に含まれるアイコンの表示位置を示す論理座標値を、位置記憶部１３１に登録する機能も有する。
【００４３】
処理実行部１４５は、アイコンの選択操作が行われた際に、そのアイコンに割り当てられている処理を実行する機能を有する。
【００４４】
＜動作＞
次に、上記構成を備える携帯電話機１００の動作について、図６を用いて説明する。
図６は、各タッチパネルからの入力に対する携帯電話機１００の制御処理を示すフローチャートである。
【００４５】
なお、同図に示す制御処理とは独立した処理として、制御部１４０の格納部１４１により、各タッチパネルにおいて接触が開始された際に接触開始情報が、その接触が離された際に接触終了情報がそれぞれ接触情報記憶部１３０に格納される。また、同図に示す制御処理は、繰り返し実行されるものとする。同図に示すように、制御部１４０の判定部１４２は、いずれかのタッチパネルで指等の接触が離されたか否かを、格納部１４１による接触情報記憶部１３０への接触終了情報の格納が行われたか否かに基づいて判定し（ステップＳ１）、格納部１４１による接触終了情報の格納が行われなかった場合には（ステップＳ１：ＮＯ）、再びステップＳ１の処理を実行する。
【００４６】
一方、格納部１４１による接触終了情報の格納が行われた場合には（ステップＳ１：ＹＥＳ）、そのタッチパネルにおいて指等が接触されていた時間内に、他方のタッチパネルで指等の接触が離されたか否かを、接触情報記憶部１３０に記憶されている情報に基づいて判定する（ステップＳ２）。より詳細には、判定部１４２は、例えば、ステップＳ１の検出に係るタッチパネルが、タッチパネル１１０であるとすると、タッチパネル１１０の接触開始情報の時刻から接触終了情報の時刻の間に、他方のタッチパネル１２０の接触終
了情報の時刻が含まれている場合に、肯定的な判定を行う（ステップＳ２：ＹＥＳ）。なお、他方のタッチパネル１２０の接触終了情報が接触情報記憶部１３０に記憶されてない場合には、否定的な判定を行う（ステップＳ２：ＮＯ）。
【００４７】
一方のタッチパネルにおいて指等が接触されていた時間内に、他方のタッチパネルで指等の接触が離されたと判定した場合には（ステップＳ２：ＹＥＳ）、接触情報記憶部１３０に記憶されている各情報に基づいて、タッチパネル１１０における辺Ａに垂直な方向のドラッグ速度ｖａが所定値ｖ１（正の値）以上であり、かつ、タッチパネル１２０における辺Ｂに垂直な方向のドラッグ速度ｖｂが所定値ｖ２（負の値）以下であるか否かを判定する（ステップＳ３）。
【００４８】
各タッチパネルにおける上記ドラッグ速度は、そのタッチパネルについての接触終了情報のｙ座標値から開始終了情報のｙ座標値を引いた値を、接触終了情報の時刻から接触開始情報の時刻を引いた値で割った値である。以下では、一例として、ｖ１は「２」、ｖ２は「−２」であるものとして説明する。タッチパネル１１０における上記ドラッグ速度ｖａが所定値ｖ１以上であり、かつ、タッチパネル１２０における上記ドラッグ速度ｖｂが所定値ｖ２以下である場合（ステップＳ３：ＹＥＳ）、判定部１４２は、接触情報記憶部１３０に記憶されている各タッチパネルについての接触終了情報に基づいて、タッチパネル１１０において指等の接触が離された位置から辺Ａまでのｙ軸上の距離と、辺Ｂからタッチパネル１２０において指等の接触が離された位置までのｙ軸上の距離とが共に所定値（一例として、「５０」とする）以下であるか否かを判定する（ステップＳ４）。
【００４９】
タッチパネル１１０において指等の接触が離された位置から辺Ａまでのｙ軸上の距離と、辺Ｂからタッチパネル１２０において指等の接触が離された位置までのｙ軸上の距離とが共に所定値以下である場合（ステップＳ４：ＹＥＳ）、判定部１４２は、各タッチパネルにおいて行われた操作が入替操作であると判定して状態情報を更新し、制御部１４０の更新部１４３は、位置記憶部１３１に記憶されている各アイコンの表示位置を示す論理座標値を、画面入替後の論理座標値に更新する（ステップＳ５）。即ち、更新部１４３は、位置記憶部１３１に記憶されている各論理座標値のうち、ｙ座標値が０〜４７９であるものについては、そのｙ座標値を「４８０」加えた値に更新し、ｙ座標値が４８０〜９５９であるものについては、そのｙ座標値を「４８０」引いた値に更新する。
【００５０】
また、制御部１４０の表示制御部１４４は、タッチパネル１１０の表示部１１１に表示されている画面と、タッチパネル１２０の表示部１２１に表示されている画面とを相互に入れ替えて、各表示部に表示させる（ステップＳ６）。即ち、各描画データが格納されている領域と各タッチパネルとの対応付けを更新し、描画データについては、その更新後の対応付けに基づいて、アイコンについては、位置記憶部１３１に記憶されている更新後の座標値に基づいて、各タッチパネルの表示部に表示させる。
【００５１】
ステップＳ６の画面の入替処理が完了すると、制御部１４０は、接触情報記憶部１３０に記憶されている各タッチパネルについての接触開始情報及び接触終了情報を削除し、制御処理を終了する。また、ステップＳ３で、タッチパネル１１０における上記ドラッグ速度ｖａが所定値ｖ１未満、又は、タッチパネル１２０における上記ドラッグ速度ｖｂが所定値ｖ２より大きい場合（ステップＳ３：ＮＯ）、及びステップＳ４で、タッチパネル１１０において指等の接触が離された位置から辺Ａまでのｙ軸上の距離と、辺Ｂからタッチパネル１２０において指等の接触が離された位置までのｙ軸上の距離との少なくも一方が所定値より大きい場合（ステップＳ４：ＮＯ）、制御部１４０は、画面の入替を行うことなく、制御処理を終了する。ステップＳ３、Ｓ４の判定条件を満たさない場合、ユーザが行った操作は、画面の入替を意図したものではないと考えられるためである。
【００５２】
一方、ステップＳ２において、一方のタッチパネルにおいて指等が接触されていた時間内に、他方のタッチパネルで指等の接触が離されていないと判定した場合には（ステップＳ２：ＮＯ）、その一方のタッチパネルにおいて指等が接触されていた時間内に、他方のタッチパネルで指等の接触が開始されたか否かを判定する（ステップＳ７）。より詳細には、判定部１４２は、ステップＳ１で接触が離されたことを検出したタッチパネルの接触開始情報の時刻から接触終了情報の時刻の間に、他方のタッチパネルの接触開始情報の時刻が含まれている場合に、肯定的な判定を行う（ステップＳ７：ＹＥＳ）。なお、他方のタッチパネルの接触開始情報が接触情報記憶部１３０に記憶されてない場合には、否定的な判定を行う（ステップＳ７：ＮＯ）。
【００５３】
一方のタッチパネルにおいて指等が接触されていた時間内に、他方のタッチパネルで指等の接触が開始されたと判定した場合には（ステップＳ７：ＹＥＳ）、特に何も行うことなく、制御部１４０は処理を終了する。この例では、この他方のタッチパネルで指等の接触が離されたタイミングで、再びステップＳ１から処理を行い、ステップＳ３、Ｓ４の判定結果に応じて画面の入替処理を行うようにしているためである。
【００５４】
また、一方のタッチパネルにおいて指等が接触されていた時間内に、他方のタッチパネルで指等の接触が開始されていないと判定した場合には（ステップＳ７：ＮＯ）、１つのタッチパネル上でのみ操作がなされたと判定できるので、判定部１４２は、ステップＳ１で接触が離されたことを検出したタッチパネルにおけるｘ軸方向の移動量の絶対値、又はｙ軸方向の移動量の絶対値が所定値以上であるか否かを判定する（ステップＳ８）。
【００５５】
より詳細には、ステップＳ１で接触が離されたことを検出したタッチパネルについての接触情報記憶部１３０に記憶されている接触終了情報の座標値（ｘ２，ｙ２）と、接触開始情報の座標値（ｘ１，ｙ１）とから、移動量（ｘ２−ｘ１，ｙ２−ｙ１）を算出し、ｘ軸方向の移動量の絶対値（｜ｘ２−ｘ１｜）、又はｙ軸方向の移動量の絶対値（｜ｙ２−ｙ１｜）が所定値（例えば、「１０」とする）以上である場合に、肯定的な判定を行う（ステップＳ８：ＹＥＳ）。
【００５６】
ステップＳ１で接触が離されたことを検出したタッチパネルにおけるｘ軸方向の移動量の絶対値、又はｙ軸方向の移動量の絶対値が所定値以上である場合には（ステップＳ８：ＹＥＳ）、表示制御部１４４は、このタッチパネルの表示部に表示されている画面を、移動量の絶対値が所定値以上である軸に沿って、その軸方向の移動量に応じてスクロールさせて表示させる（ステップＳ１１）。
【００５７】
制御部１４０は、接触情報記憶部１３０に記憶されている、ステップＳ１で接触が離されたことを検出したタッチパネルについての接触開始情報及び接触終了情報を削除し、制御処理を終了する。
【００５８】
ステップＳ８において、ステップＳ１で接触が離されたことを検出したタッチパネルにおけるｘ軸方向の移動量の絶対値及びｙ軸方向の移動量の絶対値が所定値未満である場合には（ステップＳ８：ＮＯ）、判定部１４２は、位置記憶部１３１に記憶されている各アイコンについての論理座標値（左上端の座標値と右下端の座標値）に基づいて、その接触が離された位置の座標値（接触終了情報の座標値）が、アイコンの表示位置に含まれるか否かを判定する（ステップＳ９）。
【００５９】
接触が離された位置の座標値が、アイコンの表示位置に含まれない場合には（ステップＳ９：ＮＯ）、接触情報記憶部１３０に記憶されている、ステップＳ１で接触が離されたことを検出したタッチパネルについての接触開始情報及び接触終了情報を削除し、制御処理を終了する。
【００６０】
また、接触が離された位置の座標値が、アイコンの表示位置に含まれる場合には（ステップＳ９：ＹＥＳ）、処理実行部１４５は、そのアイコンに割り当てられている処理を実行し（ステップＳ１０）、接触情報記憶部１３０に記憶されている、ステップＳ１で接触が離されたことを検出したタッチパネルについての接触開始情報及び接触終了情報を削除し、制御処理を終了する。
【００６１】
≪補足≫
以上、本発明に係る携帯端末を、実施の形態に基づいて説明したが、以下のように変形することも可能であり、本発明は上述した実施の形態で示した通りの携帯電話機に限られないことは勿論である。
【００６２】
（１）実施の形態では、ユーザによる入替操作がなされた場合に、タッチパネル１１０の表示部１１１に表示されていた画像と、タッチパネル１２０の表示部１２１に表示されていた画像とを相互に入れ替えてそのまま各表示部に表示させるものとして説明したが、表示されていた画像の一部を拡大して表示させてもよい。以下、この変形に係る携帯電話機を「変形携帯電話機」という。
【００６３】
図７は、変形携帯電話機の各タッチパネルに表示される画像例と、各タッチパネルに対し、ユーザが行う入替操作の様子を示す図であり、図８は、変形携帯電話機の各タッチパネルに表示される入替操作後の画面を示す図である。
【００６４】
図７では、タッチパネル１１０に、作成中のメールの内容（以下、「作成中メール画面」という）が表示され、タッチパネル１２０に、この作成中のメールに添付する予定の文書（以下、「見積書画面」という）が表示されている例を示している。
【００６５】
なお、作成中メール画面には、アイコン１３が含まれ、ユーザが、アイコン１３を選択すると、メールを送信する処理が実行される。
【００６６】
ここで、ユーザが入替操作を行うと、図８に示すように、変形携帯電話機は、タッチパネル１２０に、作成中メール画面を表示し、タッチパネル１１０には、入替操作前にタッチパネル１２０に表示されていた見積書画面の一部を既定の倍率（例えば２倍）に拡大した画面を表示する。ここでは、入替操作を行う際に、ユーザが親指の接触を開始させたタッチパネル１２０上の位置を中心に拡大した見積書画面をタッチパネル１１０に表示した例を示している。
【００６７】
なお、この例では、タッチパネル１２０に表示されていた画面（見積書画面）のみを拡大してタッチパネル１１０に表示するものとして説明したが、タッチパネル１１０に表示されていた画面も同様に拡大して表示させるようにしてもよいし、また、例えば、拡大対象とする画面に係るアプリケーションの種類を予めしておき、入替操作の際に表示されていた画面が、指定されたアプリケーションに係る画面である場合にのみ拡大するようにしてもよい。
【００６８】
また、この例では、入替操作を行うことで、表示されていた画面が自動的に拡大されて表示されるものとして説明したが、例えば、各タッチパネル上でのドラッグ速度や、ドラッグ距離（指等の接触が開始された位置と、その接触が離された位置との間の距離）がある閾値以上である場合にのみ、拡大するようにしてもよい。
【００６９】
また、この例では、既定の倍率で拡大するものとして説明したが、ドラッグ距離や、ドラッグ速度に応じた倍率で拡大するようにしてもよい。
【００７０】
また、図７のタッチパネル１２０に表示されている見積書画面には、アイコンが存在しない場合について説明したが、アイコンが存在するケースでは、入替操作がなされた場合に、そのアイコンについての論理座標値を更新する必要がある。
【００７１】
この更新は、例えば以下のように行うことが考えられる。
【００７２】
実施の形態で説明したように、位置記憶部１３１に記憶されているアイコンの左上端のｙ座標値と右下端のｙ座標値とから「４８０」を引いた後の左上端の座標値を（ｘｌ，ｙｌ）、右下端の座標値を（ｘｒ，ｙｒ）とした場合において、まず、中心点の座標値（ｘｃ，ｙｃ）＝（（ｘｒ＋ｘｌ）／２，（ｙｒ＋ｙｌ）／２）を算出する。
【００７３】
次に、中心点から左上端及び右下端までの距離を既定の倍率Ｚで拡大するように、左上端の座標値及び右下端の座標値を更新する。
【００７４】
即ち、左上端の座標値は（ｘｃ−Ｚ×（ｘｃ−ｘｌ），ｙｃ−Ｚ×（ｙｃ−ｙｌ））、右下端の座標値（ｘｃ＋Ｚ×（ｘｒ−ｘｃ），ｙｃ＋Ｚ×（ｙｒ−ｙｃ））に更新される。
【００７５】
（２）実施の形態に係る携帯電話機１００は、スライド式の携帯電話機であるものとして説明したが、折りたたみ式の携帯電話機等、他の外観を有する携帯電話機であってもよい。
【００７６】
例えば、図９（ａ）〜（ｃ）に示されるような折りたたみ式の携帯電話機２００であってもよい。
【００７７】
携帯電話機２００は、タッチパネル２１０を備える第１筐体２０１とタッチパネル２２０を備える第２筐体２０２とが互いに開閉可能に構成されている。
【００７８】
図９（ａ）に示すように、この携帯電話機２００は、第１筐体２０１と第２筐体２０２とが互いに開き、各タッチパネルが視認可能な状態から、図９（ｂ）、（ｃ）に示すように、第１筐体２０１を第２筐体に対して１８０°回転させた後に、第１筐体２０１と第２筐体とを互いに閉じることで、第２筐体２０２が備えるタッチパネル２２０が第１筐体２０１の背後に隠れ、第１筐体２０１が備えるタッチパネル２１０のみが視認可能な状態へとその形状を変化させることができる。
【００７９】
ユーザが、図９（ａ）の状態で、各タッチパネルに対し入替操作を行った後に、図９（ｂ）、（ｃ）に示すように、携帯電話機２００の形状を変化させることで、図９（ｃ）のように、携帯電話機２００を閉じた状態においても、入替操作前にタッチパネル２２０に表示されていた画面をタッチパネル２１０に表示させて、ユーザは、このタッチパネル２２０に表示された画面を見ることができるようになる。
【００８０】
また、この変形及び実施の形態では、開閉による変形が可能な携帯電話機を例に説明したが、ストレート型等、開閉による変形が生じない携帯電話機に適用してもよい。
これらの変形を、上述の変形携帯電話機に適用してもよい。
【００８１】
（３）実施の形態に係る各タッチパネルの入力部は、静電容量方式のタッチセンサにより実現するものとして説明したが、この静電容量方式のタッチセンサとして、多数の電極パターンをプラスチックやガラス等の基板上に形成し、接触点の近傍の複数の電極パターンによる電流量の比率を計測することで判別する投影型や、導電膜と基板とを有して構成
され、基板の隅に電極を設け、導電膜による均一な電界を形成し、指等の接触による隅の端子の電流量の比率を計測して接触位置を判別する表面型等、適宜なものを用いることができる。
【００８２】
また、各タッチパネルの入力部は、静電容量方式のタッチセンサにより実現される場合に限らず、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等により実現されてもよい。
【００８３】
これらの変形を、上述の変形携帯電話機や、携帯電話機２００に適用してもよい。
【００８４】
（４）実施の形態に係る携帯電話機１００は、通常の使用状態において、ユーザから見て、タッチパネル１１０とタッチパネル１２０とが略同一平面上の上下に配置されるものとして説明したが、左右に配置されるようにしてもよい。タッチパネル１１０を左に、タッチパネル１２０を右に配置した場合、タッチパネル１１０についての操作制御用座標系における座標値に変更はないが、タッチパネル１２０についての操作制御用座標系における座標値は以下のように変更される。
【００８５】
即ち、タッチパネル１２０の左上端の座標値は（８００，０）、右上端の座標値は（１５９９，０）、左下端の座標値は（８００，４７９）、右下端の座標値は（１５９９，４７９）となる。従って、入替操作が行われた場合に、タッチパネル１１０に表示されていたアイコンの論理座標値は、そのｘ座標が「８００」を加えた値に、タッチパネル１２０に表示されていたアイコンの論理座標値は、そのｘ座標が「８００」を引いた値に更新される。
【００８６】
この変形を、上述の変形携帯電話機や、携帯電話機２００に適用してもよい。
【００８７】
（５）実施の形態に係る携帯電話機１００は、図１（ｃ）に示すように開状態で、タッチパネル１１０とタッチパネル１２０とが略同一平面上に配置されるものとして説明したが、入替操作となる条件を満たすようにユーザが操作できる態様であれば、どのような配置でもよい。
【００８８】
例えば、開状態で、第１筐体１のタッチパネル１１０を含む表面と、第２筐体２のタッチパネル１２０を含む表面とが略平行になるように配置されてもよいし、第１筐体１のタッチパネル１１０を含む表面と、第２筐体２のタッチパネル１２０を含む表面との間に、指等をタッチパネルの表面に接触させられる程度の角度が生じるように配置されてもよい。
【００８９】
また、実施の形態では、各タッチパネルのＬＣＤの画素数は同一であり、ＬＣＤの形状は、略矩形状であるとして説明したが、入替操作となる条件を満たすようにユーザが操作できる態様であれば、各ＬＣＤの画素数は異なってもよいし、各ＬＣＤの形状は、例えば、円形上、その他多角形状であってもよい。
この変形を、上述の変形携帯電話機や、携帯電話機２００に適用してもよい。
【００９０】
（６）図６では、ユーザが誤って入替操作に似た操作を行ってしまった場合に、画面の入替が生じてしまう可能性を低減させるべく、ステップＳ３及びＳ４の判定条件を満たした場合に、ステップＳ５及びＳ６の処理を実行するものとして説明したが、ステップＳ３
及びＳ４の判定を省略し、ステップＳ２の判定条件を満たした場合に、ステップＳ５及びＳ６の処理を実行するようにしてもよい。
【００９１】
また、ステップＳ３では、タッチパネル１１０における辺Ａに垂直な方向のドラッグ速度ｖａと比較する所定値Ｖ１を「２」とし、タッチパネル１２０における辺Ｂに垂直な方向のドラッグ速度ｖｂと比較する所定値Ｖ２を「−２」として説明したが、これは一例であり、Ｖ１及びＶ２は、それ以外の値であってもよい。
【００９２】
また、ステップＳ４では、タッチパネル１１０において指等の接触が離された位置と辺Ａとのｙ軸上の距離と比較する所定値、及び辺Ｂとタッチパネル１２０において指等の接触が離された位置とのｙ軸上の距離と比較する所定値を共に「５０」として説明したが、これは一例であり、それ以外の値であってもよいし、タッチパネル１１０において指等の接触が離された位置と辺Ａとのｙ軸上の距離と比較する所定値と、辺Ｂとタッチパネル１２０において指等の接触が離された位置とのｙ軸上の距離と比較する所定値とを異なる値としてもよい。
【００９３】
また、実施の形態に係る携帯電話機１００の使用開始時において、ユーザに入替操作を何回か行わせ、その結果に基づいて、ステップＳ３、４で用いる所定値を決定してもよいし、ユーザが任意の値を設定できるようにしてもよい。また、ステップＳ２の判定条件を満たした場合に、ステップＳ３、４に代えて、タッチパネル１１０での接触位置が、タッチパネル１２０に向かう所定の方向（例えば、辺Ａに垂直な方向）に変化し、かつ、タッチパネル１２０上での接触位置が、タッチパネル１１０に向かう所定の方向（例えば、辺Ｂに垂直な方向）に変化したか否かを判定するようにし、この判定条件を満たした場合に、ステップＳ５及びＳ６の処理を実行するようにしてもよい。即ち、各タッチパネル上でのそれぞれ他方のタッチパネルに向かう所定の方向への接触位置の変化が、同時に生じた期間がある場合に、画面の入替を行うようにしてもよい。
【００９４】
また、ステップＳ２の判定条件を満たした場合に、ステップＳ３、４に代えて、タッチパネル１１０での接触位置が、タッチパネル１２０に近い側の一辺（例えば、辺Ａ）に垂直方向の成分について所定量以上、当該一辺に向かう方向に変化し、かつ、タッチパネル１２０での接触位置が、タッチパネル１１０に近い側の一辺（例えば、辺Ｂ）に垂直方向の成分について所定量以上、当該一辺に向かう方向に変化したか否かを判定するようにし、この判定条件を満たした場合に、ステップＳ５及びＳ６の処理を実行するようにしてもよい。即ち、各タッチパネル上での接触位置がそれぞれ他方のタッチパネルに近い側の一辺に垂直方向の成分について所定量以上、当該一辺に向かう方向に変化した場合に、画面の入替を行うようにしてもよい。
【００９５】
この変形を、上述の変形携帯電話機や、携帯電話機２００に適用してもよい。
【００９６】
（７）実施の形態では、制御部１４０が、タッチパネル１１０、１２０上の座標値を、
１つの操作制御用座標系の論理座標値で管理、処理する例を用いて説明したが、タッチパネル毎の個別のｘｙ座標系の座標値、即ち物理座標値そのもので管理、処理するようにしてもよい。その場合、位置記憶部１３１には、アイコン毎に、表示されるべきタッチパネルを指定する情報も追加して格納する必要があり、入替操作がなされた際に、更新部１４３は、この情報を他方のタッチパネルを指定するように更新することになる。
【００９７】
この変形を、上述の変形携帯電話機や、携帯電話機２００に適用してもよい。
【００９８】
（８）実施の形態において説明した各構成要素のうち、全部又は一部を１チップ又は複数チップの集積回路で実現してもよいし、コンピュータのプログラムで実現してもよいし
、その他どのような形態で実現してもよい。これらのことは、上述の変形携帯電話機や、携帯電話機２００においても同様に適用できる。
【００９９】
（９）実施の形態において説明した各タッチパネルからの入力に対する処理（図６参照）をＣＰＵに実行させるためのプログラムを、記録媒体に記録し又は各種通信路等を介して、流通させ頒布することもできる。このような記録媒体には、ＩＣカード、光ディスク、フレキシブルディスク、ＲＯＭ、フラッシュメモリ等がある。流通、頒布されたプログラムは、機器におけるＣＰＵで読み取り可能なメモリ等に格納されることにより利用に供され、そのＣＰＵがそのプログラムを実行することにより実施の形態で示した携帯電話機の各機能が実現される。
【０１００】
これらのことは、上述の変形携帯電話機や、携帯電話機２００においても同様に適用できる。
【０１０１】
（１０）本発明に係る携帯端末の実施の形態は、それぞれが画像を表示する第１及び第２のタッチパネルと、第１及び第２のタッチパネルで共に接触が検出された場合において、各タッチパネル上での接触位置がそれぞれ他方のタッチパネルに向かう所定の方向へ変化したことを要件として含む一定条件を満たすか否かを判定する判定部と、前記判定部が前記一定条件を満たすとの判定を行った場合に、各タッチパネルに、他方のタッチパネルに表示されていた画像の少なくとも一部を表示させる表示制御部とを備えることを特徴とする。
【０１０２】
上記構成を備える本発明に係る携帯端末の実施の形態によれば、各タッチパネル上で一定条件を満たす操作がなされた場合に、各タッチパネルに、他方のタッチパネルに表示されていた画像の少なくとも一部を表示できるので、一方のタッチパネルで表示された画像についても、他方のタッチパネルで表示される際に得られるメリットを享受することが可能になる。
【０１０３】
例えば、第１のタッチパネルの性能が、第２のタッチパネルの性能より高い場合に、上記操作を行うことで、第２のタッチパネルに表示中の画像を、より性能の高い第１のタッチパネルに表示させることが可能になる。また、例えば、この携帯端末が、一方のタッチパネルが隠れるような形態をとることが可能な場合に、予め上記操作を行って、各タッチパネルに表示中の画像を相互に入れ替えて各タッチパネルに表示させておくことで、この携帯端末が上記形態をとったときに、隠れていない他方のタッチパネルにユーザが引き続き見たい画像を表示させることが可能になる。
【０１０４】
（１１）また、各タッチパネルは、略矩形状の表示領域を有し、前記所定の方向は、第１及び第２のタッチパネルが共に略同一平面上に並んで配置された形態を自端末がとっている場合において、他方のタッチパネルに近い側の一辺に向かう方向であることとしてもよい。これにより、本発明に係る携帯端末の実施の形態によれば、各タッチパネル上での接触位置がそれぞれ他方のタッチパネルに近い側の一辺に向かう方向へ変化したことを要件として含む一定条件を満たす操作がなされた場合に、各タッチパネルに、他方のタッチパネルに表示されていた画像の少なくとも一部を表示させるので、直感に沿った操作性を実現できる。
【０１０５】
（１２）また、前記表示制御部は、前記判定部が前記一定条件を満たすとの判定を行った場合に、各タッチパネルに表示されていた画像に代えて、各タッチパネルに、当該判定の前に他方のタッチパネルに表示されていた画像全体を表示させることとしてもよい。これにより、本発明に係る携帯端末の実施の形態によれば、例えば、この携帯端末が、第２のタッチパネルが隠れ、第１のタッチパネルのみが視認可能となるような形態をとること
が可能な場合に、予め上記一定条件を満たす操作を行って、第１のタッチパネルに、第２のタッチパネルに表示されていたユーザが引き続き見たい画像を表示させておくことができるので、その後に、上記形態を自端末がとったときにも、ユーザは、所望する画像を見ることが可能になる。
【０１０６】
（１３）また、前記一定条件は、各タッチパネル上での接触位置がそれぞれ前記他方のタッチパネルに近い側の一辺に略垂直方向の成分について単位時間に所定量以上、当該一辺に向かう方向へ変化したことを要件として含むこととしてもよい。これにより、本発明に係る携帯端末の実施の形態によれば、各タッチパネル上での接触位置の特定方向成分の単位時間内の変化量が所定量より少なければ、各タッチパネルに表示されていた画像の少なくとも一部の入替は生じない。従って、ユーザが、誤って、各タッチパネル上での接触位置がそれぞれ他方のタッチパネルに向かう所定の方向へ変化するような操作をしてしまった場合に、各タッチパネルに表示されていた画像の少なくとも一部が入れ替わって表示されてしまう可能性を低減できる。
【０１０７】
（１４）また、前記一定条件は、各タッチパネルにおいて接触が離された位置それぞれと前記他方のタッチパネルに近い側の一辺との距離が所定値以内であることを要件として含むこととしてもよい。これにより、本発明に係る携帯端末の実施の形態によれば、各タッチパネルにおいて接触が離された位置それぞれと前記他方のタッチパネルに近い側の一辺との距離が所定値より離れている場合には、各タッチパネルに表示されていた画像の少なくとも一部の入替は生じない。従って、ユーザが、誤って、各タッチパネル上での接触位置がそれぞれ他方のタッチパネルに向かう所定の方向へ変化するような操作をしてしまった場合に、各タッチパネルに表示されていた画像の少なくとも一部が入れ替わって表示されてしまう可能性を低減できる。
【０１０８】
（１５）また、前記携帯端末は、更にアイコン毎に、当該アイコンの第１又は第２のタッチパネル上での表示位置を特定するための位置特定情報を記憶する記憶部と、いずれかのタッチパネルのみで接触が検出された場合において、前記位置特定情報により特定されるアイコンの表示位置で接触が離されたときに、当該アイコンに割り当てられた処理を実行する処理実行部と、前記判定部が前記一定条件を満たすとの判定を行った場合に、各アイコンの表示位置が、当該判定の前後で、異なるタッチパネル上の位置を示すように前記位置特定情報を更新する更新部とを備え、前記表示制御部は、前記判定部が前記一定条件を満たすとの判定を行った場合に、前記更新部により更新された位置特定情報に基づいて、各タッチパネルに、前記表示を行わせることとしてもよい。
【０１０９】
これにより、本発明に係る携帯端末の実施の形態によれば、各タッチパネル上で一定条件を満たす操作がなされた場合に、各アイコンの表示位置が他方のタッチパネル上の位置を示すように位置特定情報が更新されるので、各タッチパネルに表示されていた画像が入れ替わった後に、ユーザがアイコンの表示位置で指等の接触を離す操作を行った場合でも、そのアイコンに割り当てられた処理の実行を、画像の入替が生じる前と同様に行うことができる。
【０１１０】
（１６）また、前記表示制御部は、前記判定部が前記一定条件を満たすとの判定を行った場合に、第１のタッチパネルに表示されていた画像に代えて、第２のタッチパネルに表示されていた画像の少なくとも一部を拡大した画像を、第１のタッチパネルに表示させることとしてもよい。これにより、本発明に係る携帯端末の実施の形態によれば、各タッチパネル上で一定条件を満たす操作がなされた場合に、第１のタッチパネルには、第２のタッチパネルに表示されていた画像の少なくとも一部を拡大させた画像を表示させるので、小さくて見にくい画像の視認性を向上できる。
【０１１１】
（１７）また、前記一定条件は、各タッチパネル上でのそれぞれ他方のタッチパネルに向かう所定の方向への接触位置の変化が、同時に生じた期間があることを要件として含むこととしてもよい。これにより、本発明に係る携帯端末の実施の形態によれば、各タッチパネル上でのそれぞれ他方のタッチパネルに向かう所定の方向への接触位置の変化が、同時に生じた期間がなければ、各タッチパネルに表示されていた画像の少なくとも一部の入替は生じない。従って、ユーザが、誤って、各タッチパネル上での接触位置がそれぞれ他方のタッチパネルに向かう所定の方向へ変化するような操作をしてしまった場合に、各タッチパネルに表示されていた画像の少なくとも一部が入れ替わって表示されてしまう可能性を低減できる。
【０１１２】
（１８）また、前記一定条件は、各タッチパネル上での接触位置がそれぞれ他方のタッチパネルに近い側の一辺に垂直方向の成分について所定量以上、当該一辺に向かう方向に変化したことを要件として含むこととしてもよい。これにより、本発明に係る携帯端末の実施の形態によれば、各タッチパネル上での接触位置がそれぞれ他方のタッチパネルに近い側の一辺に垂直方向の成分について所定量以上、当該一辺に向かう方向に変化しなければ、各タッチパネルに表示されていた画像の少なくとも一部の入替は生じない。従って、ユーザが、誤って、各タッチパネル上での接触位置がそれぞれ他方のタッチパネルに向かう所定の方向へ変化するような操作をしてしまった場合に、各タッチパネルに表示されていた画像の少なくとも一部が入れ替わって表示されてしまう可能性を低減できる。
【産業上の利用可能性】
【０１１３】
本発明に係る携帯端末は、ユーザが、タッチパネルを用いた操作を行う場合に利用される。
【符号の説明】
【０１１４】
１、２０１ 第１筐体
２、２０２ 第２筐体
４、４’ 連結機構
５ 連結駒
６ ガイド溝
７ スピーカ
８ マイク
３０、３０’ 、３１、３１’ ピン
１００、２００ 携帯電話機
１１０、１２０、２１０、２２０ タッチパネル
１１１、１２１ 表示部
１１２、１２２ 入力部
１３０ 接触情報記憶部
１３１ 位置記憶部
１４０ 制御部
１４１ 格納部
１４２ 判定部
１４３ 更新部
１４４ 表示制御部
１４５ 処理実行部
【図１】
2014232546.tif 000003
【図２】
2014232546.tif 000004
【図３】
2014232546.tif 000005
【図４】
2014232546.tif 000006
【図５】
2014232546.tif 000007
【図６】
2014232546.tif 000008
【図７】
2014232546.tif 000009
【図８】
2014232546.tif 000010
【図９】
2014232546.tif 000011